(57)【特許請求の範囲】
【請求項１】
注射筒の先端に設けられた外径の小さな筒先に、円盤状のつば部を有する注射針を取り付けた注射器の前記注射筒から前記注射針を取り外すための注射針取外し容器であって、
前記注射筒から取り外された前記注射針を収容するための容器本体と、
該容器本体の上面を着脱可能に覆うとともに、前記注射器を挿入する挿入孔が設けられた蓋と、
対向する先端が前記容器本体側に向かって屈曲し、該屈曲により形成される角部よりも先端側が前記注射針を取り外すための係止爪となる一対の矩形状のプレートからなる取外しプレートと、
を備え、
前記一対の矩形状のプレートは、
前記先端とは反対側の辺部が前記挿入孔の対向した各辺縁に回動可能に取り付けられ、
前記注射器を対向した前記一対のプレート間のスリット状の隙間に押し込むことで、前記係止爪を前記注射針のつば部に各々係止させるとともに、前記角部を前記注射筒の肩部に各々当接させて前記注射針を前記注射筒から取り外す、
ことを特徴とする注射針取外し容器。
【請求項２】
前記一対の矩形状のプレートは、
前記先端部とは反対側の辺部に回動軸を有し、該回動軸部分が前記挿入孔の対向した各辺縁に回動可能に取り付けられていることを特徴とする請求項１に記載の注射針取外し容器。
【請求項３】
前記一対の矩形状のプレートは、
前記先端部とは反対側の辺部が前記挿入孔の対向した各辺縁に回動可能に一体成形されていることを特徴とする請求項１に記載の注射針取外し容器。
【請求項４】
前記取外しプレートの角部の下面近傍箇所間に架設部材を設け、前記蓋の下面に前記挿入孔の一部を下方から覆うように強化プラスチック製の弾性プレート部材を設け、前記注射針を前記一対のプレート間のスリット状の隙間に略鉛直方向に押し込むことで、前記架設部材の下部が前記弾性プレート部材に押接して前記取外しプレートを上方に付勢させる付勢手段が介装されていることを特徴とする請求項１乃至３のいずれかに記載の注射針取外し容器。
【請求項５】
前記取外しプレートの係止爪が前記円盤状のつば部に当接する際における前記一対の矩形状のプレートの先端間の距離が、前記円盤状のつば部の外径よりも短く、前記注射筒の筒先の外径よりも長いことを特徴とする請求項１乃至４のいずれかに記載の注射針取外し容器。
【請求項６】
前記蓋上の前記挿入孔の前記取外しプレートが取り付けられていない辺縁近傍に立設し、前記注射筒の外径よりも大きい内径の半円筒形部材を有するガイド部材を備え、
前記半円筒形部材の内周面に前記注射筒の外周面を当接させた状態で前記注射器を前記挿入孔方向にスライドさせることで、前記注射器の注射針を前記取外しプレートへの押し込み方向に案内することを特徴とする請求項１乃至５のいずれかに記載の注射針取外し容器。
【請求項７】
前記挿入孔を覆うようにして貼設され、前記取外しプレートの下面に棒状の連結材を介して連結され、前記取外しプレートの動きに応じて開閉動作することで前記容器本体内の注射針の流出を防止する強化プラスチック製の一対の矩形状のプレートからなる注射針流出防止プレートを備えることを特徴とする請求項１乃至６のいずれかに記載の注射針取外し容器。
【発明の詳細な説明】
【技術分野】
【０００１】
本発明は、注射針取外し容器に関する。
【背景技術】
【０００２】
注射針が取り付けられた注射器でバイアル、アンプル等の容器から薬液を吸い上げ、注射筒に充填された薬液を患者に注射する場合、バイアルのゴム片、アンプルのガラス片等の異物が注射針に付着している可能性がある。このため、薬液の吸い上げに用いた注射針を取り外し、新しい注射針に付け替えてから、患者に注射を行う必要がある。この際に、鋭利な針先が露出した状態で薬液の吸い上げに用いた注射針を取り外すと、注射針が医療者の手指に刺さる危険性があるため、通常、薬液の吸い上げに用いた注射針にキャップを被せてから注射針を取り外す。
【０００３】
一方で、鋭利な針先が露出した状態で注射針にキャップを被せる行為自体が、針刺し事故を誘発するという危険性がある。このため、注射針にキャップを被せる行為は、医療者の針刺し事故防止の観点から禁じられている。
【０００４】
患者への注射に用いた後の使用済みの注射針の取外しに関しても、針刺し事故等の発生が問題視されてきた。そこで、注射針を安全に取り外して廃棄することができる注射針用廃棄容器がいくつか提案されている。
【０００５】
特許文献１には、針ユニットを受け入れるための開口を有し、針ユニットが開口に挿入された後に針ユニットを挿入方向に移動させることができ、かつ挿入方向とは反対の方向の運動をブロックするブロック手段を、開口の円周に沿って少なくとも１つのリム領域内に形成した装置が開示されている。
【０００６】
また、注射針（ハブ）の注射器本体との螺合を解除するための開口構造についてもいくつか提案されており、例えば、特許文献２には、注射針外周のリブに対しネガの関係である少なくとも１つの歯と、少なくとも１つの突出部を配した開口を有する廃棄容器が開示されている。この廃棄容器では、上記歯が開口に挿入されたペン型注射針のリブと噛み合ってペン型注射針の軸中心の回転を拘束し、ペン型注射器を回転させることによって螺合が解除され、注射針が開口から落下する。上記突出部は、注射針の近接端と注射器本体との間に入り込んで注射針が基部側へ移動するのを防ぐ。
【０００７】
また、特許文献３、４には、特許文献２と同様の注射針外周のリブと噛み合せるための突起部を開口に配した構造が開示されている。
【０００８】
また、特許文献５には、中空の容器に固定する円板に注射針を取り付けた注射器で押し下げることができるように可動板部材を配置し、この可動板部材を押し下げることにより作動される針除去機構の一対の駆動部材を可動板部材を固定円板に支持するブリッジ部材に取り付けた注射針リムーバーが開示されている。
【先行技術文献】
【特許文献】
【０００９】
【特許文献１】特表２００６−５０７０６３号公報
【特許文献２】特開２００４−２６１５７０号公報
【特許文献３】特開２００５−１０２９３２号公報
【特許文献４】特開２００８−５０１４８４号公報
【特許文献５】特開２０００−３１６９１９号公報
【発明の概要】
【発明が解決しようとする課題】
【００１０】
しかしながら、特許文献１の装置では、注射ペンを、螺旋バネで上下する受け入れチューブ内に挿入して使用することから、最初に針のついた注射器を長いチューブに挿入する必要があり、手間がかかっていた。また、シリンジ本体の筒先部への接触により筒先部が汚染される可能性があり、新しい注射針に付け替えて患者に注射するのには不都合があった。
【００１１】
また、特許文献２の廃棄容器では、注射針を落下させるために注射針を配置する通路が傾斜し、かつ下部を切り欠いており、上側にしか歯が設けられていない。このため、注射針のリブとの係合が十分でない可能性があり、安定的に注射針を落下させることができない可能性があった。また廃棄容器に対して注射針を斜めに押し付けるため廃棄容器が安定せず、もう一方の手で動かないように押える必要があり、使い勝手の点で問題を有していた。また、シリンジ本体の筒先部への接触により筒先部が汚染される可能性があり、新しい注射針に付け替えて患者に注射するのには不都合があった。
【００１２】
また、特許文献３、４の構造でも同様に、シリンジ本体の筒先部への接触により筒先部が汚染される可能性があり、新しい注射針に付け替えて患者に注射するのには不都合があった。
【００１３】
また、特許文献５の注射針リムーバーでは、一対の駆動部材が注射針の取り付け部分の外周面に接触して、協働するバネ力を利用して両側から強く把持することで、注射器から注射針を脱落させる構造となっている。そのため、有効な把持力を生じさせるため、非常に強力なバネ等が必要となり、大型化するとともに、そのバネ力に抗して注射器を押し下げる必要があり、押し下げるために大きな力を要するという課題を残していた。
【００１４】
本発明は、上記事情に鑑みてなされたものであり、注射筒を再使用できるように注射針を注射筒から簡便に取り外すことのできる注射針取外し容器を提供することを目的とする。
【課題を解決するための手段】
【００１５】
上記目的を達成するため、本発明の第１の観点に係る注射針取外し容器は、
注射筒に注射針を取り付けた注射器の前記注射筒から前記注射針を取り外すための注射針取外し容器であって、
前記注射筒から取り外された前記注射針を収容するための容器本体と、
該容器本体の上面を着脱可能に覆うとともに、前記注射器を挿入する挿入孔が設けられた蓋と、
前記挿入孔の対向した各辺縁に回動可能に設けられ、対向する先端の係止爪で前記注射針を取り外す取外しプレートと、
を備え、
前記注射器を対向した前記取外しプレート間に押し込むことで、前記取外しプレートの係止爪を前記注射針に係止させるとともに、前記注射筒の一部に当接させて前記注射針を前記注射筒から取り外す、
ことを特徴とする。
【００１６】
例えば、前記取外しプレートに付勢手段が介装されている。
【００１７】
例えば、前記注射針は、前記取外しプレートが前記注射筒の筒先に接触することなく前記注射筒から取り外される。
【００１８】
例えば、前記蓋上に、前記注射器を、前記取外しプレートへの押し込み方向に案内するガイド部材を備える。
【００１９】
例えば、前記蓋上に、手置き台を備える。
【００２０】
例えば、前記蓋の下面に、注射針流出防止プレートを備える。
【発明の効果】
【００２１】
本発明によれば、注射筒を再使用できるように注射針を注射筒から簡便に取り外すことのできる注射針取外し容器を提供することができる。
【図面の簡単な説明】
【００２２】
【図１】本発明の実施形態に係る注射針取外し容器の全体を模式的に表す斜視図である。
【図２】（ａ）〜（ｆ）は、本発明の実施形態に係る注射針取外し容器を用いて、注射筒から注射針を取り外す過程の各状態を表す動作状態図である。
【図３】本発明の手置き台を備える実施形態に係る注射針取外し容器の使用状態を模式的に表す斜視図である。
【図４】（ａ）〜（ｄ）は、注射針流出防止プレートを備える実施形態に係る注射針取外し容器を用いて、注射筒から注射針を取り外す過程の各状態を表す動作状態図である。
【発明を実施するための形態】
【００２３】
以下、本発明の実施形態について詳細に説明する。
【００２４】
図１は、本発明の実施形態に係る注射針取外し容器１００の全体を模式的に示した斜視図である。注射針取外し容器１００は、注射筒２０（図２（ａ））から取り外された注射針３０（図２（ｅ））を収容するための容器本体１１０と、容器本体１１０の上面を着脱可能に覆う蓋１２０と、注射針３０を注射筒２０から取り外すための取外しプレート１３０と、蓋１２０上に備えられたガイド部材１４０を備える。
【００２５】
注射針取外し容器１００は、図２に示すように、注射器１０の注射筒２０から、針管３２と針基３４とからなる注射針３０を取り外して収容する容器である。本実施形態において、注射針３０は、注射筒２０に螺合固定によって取り付けられている。
【００２６】
容器本体１１０は、直方体の合成樹脂製の箱であり、注射筒２０から取り外された注射針３０を収容する。
【００２７】
蓋１２０は、容器本体１１０の上面を覆う、矩形状の合成樹脂製のプレートである。蓋１２０の底面には、容器本体１１０の上面部に嵌め合わせるための係合溝（図示せず）が形成されている。この係合溝に容器本体１１０の上面の縁部に形成された凸部を嵌め込むことで、蓋１２０が着脱可能に容器本体１１０の上面部に取り付けられる。蓋１２０の略中央部分には、注射器１０を挿入するための矩形状の挿入孔１２２が設けられており、挿入孔１２２の辺縁１２２ａには、注射針３０を取り外すための一対の取外しプレート１３０が取り付けられている。
【００２８】
取外しプレート１３０は、注射筒２０から注射針３０を取り外す役割を果たす。取外しプレート１３０は、先端近傍に係止爪１３２が形成され、根元部に回動軸１３３が形成された矩形状の合成樹脂製のプレートで、蓋１２０の挿入孔１２２の辺縁１２２ａに沿って回動軸１３３部分がビス（図示せず）を介して回動可能に取り付けられている。取外しプレート１３０の角部１３４より先端が係止爪１３２を構成している（図２（ａ））。蓋１２０と取外しプレート１３０との間には付勢手段としてバネ１３１が介装されており、取外しプレート１３０は、図２（ａ）に示したように、対向する取外しプレート１３０の係止爪１３２間に所定の離れを有する位置が初期位置となるように、上方に付勢されている。
【００２９】
図２の各図を用いて、取外しプレート１３０が注射筒２０から注射針３０を取り外す動作について説明する。
【００３０】
まず、図２（ａ）に示すように、注射針３０を下方にして注射器１０を、対向する取外しプレート１３０の係止爪１３２の間に差し入れる。次に、図２（ｂ）に示すように、注射筒２０を矢印Ｙ方向（図中、下方）に押し込み、注射筒２０の肩部２４に、取外しプレート１３０の係止爪１３２を当接させる。次に、図２（ｃ）に示すように、注射筒２０をさらに下方に押し込み、注射筒２０の肩部２４に、取外しプレート１３０の角部１３４を当接させるとともに、係止爪１３２の先端部１３６を針基３４のつば部３４ａに当接させる。次に、図２（ｄ）に示すように、注射筒２０をさらに下方に押し込むと、注射筒２０の肩部２４がバネ１３１の付勢力に抗して取外しプレート１３０の角部１３４を下方に押し下げる。そして、係止爪１３２の先端部１３６によって針基３４のつば部３４ａが下方に押し下げられ、最終的には、図２（ｅ）に示すように、注射針３０が注射筒２０から離脱し、容器本体１１０内に収容される。注射筒２０を上方に抜き去ると、取外しプレート１３０はバネ１３１の付勢力によって矢印方向に回動して初期位置に戻る（図２（ｆ））。このように、取外しプレート１３０が注射筒２０の筒先２２に接触することなく、注射針３０を取り外すことができる。
【００３１】
なお、図２（ｃ）、（ｄ）のように取外しプレート１３０の係止爪１３２が針基３４のつば部３４ａに当接する際の、一方の取外しプレート１３０の係止爪１３２の先端部１３６と、他方の取外しプレート１３０の係止爪１３２の先端部１３６と、の間の長さは、注射針３０の円盤状のつば部３４ａの外径よりも短く、注射筒２０の筒先２２の外径よりも長い。また、図２（ｄ）のように取外しプレート１３０の角部１３４が注射筒２０の肩部２４に当接する際の、一方の取外しプレート１３０の角部１３４と、他方の取外しプレート１３０の角部１３４と、の間の長さは、注射筒２０の外径よりも短く、筒先２２の外径よりも長い。
【００３２】
以下、本実施形態での注射針３０の取り外し作業を補助するガイド部材１４０の構成及び動作について説明する。ガイド部材１４０は、図１に示すように、注射筒２０の外径よりも略大きい内径を有する合成樹脂製の半円筒部材１４２を備え、注射器１０の、挿入孔１２２の２つの取外しプレート１３０の間における略鉛直方向の移動を案内する役割を果たす。ガイド部材１４０は、蓋１２０の挿入孔１２２の、取外しプレート１３０が取り付けられていない辺縁近傍に、ネジ留めにより設けられている。ガイド部材１４０の半円筒部材１４２の内側面に注射筒２０をあてがいながら注射器１０を押し下げることで、注射筒２０を２つの取外しプレート１３０の間において略鉛直方向に下方移動させることができ、注射針３０を取り外す過程で、取外しプレート１３０が注射筒２０の筒先２２に接触する可能性を低減することができる。
【００３３】
注射針取外し容器１００の使用方法の一例を説明する。まず、注射器１０の注射筒２０に薬液を充填する。より具体的には、注射針３０を薬液の入ったバイアルに穿刺し、又は薬液の入ったアンプル内に挿入し、薬液を吸い上げて注射筒２０に薬液を充填する。次に、注射針取外し容器１００を用いて、薬液が充填された注射器１０から注射針３０を取り外す。より具体的には、注射器１０を、注射針３０を下方に向けて、注射針取外し容器１００の半円筒部材１４２の内側にあてがいながら２つの取外しプレート１３０の間に略鉛直方向に押し込み、注射筒２０から注射針３０を取り外す。最後に、注射筒２０の筒先２２に患者に注射するための別の注射針を装着し、患者に注射を行う。注射針取外し容器１００の容器本体１１０内に使用済みの注射針３０が所定程度たまった場合には、蓋１２０を開けて容器本体１１０から使用済みの注射針３０を廃棄する。
【００３４】
以上に述べたように、本発明の実施形態に係る注射針取外し容器１００は、特許文献１−４に開示された廃棄容器、構造等とは異なり、取外しプレート１３０が注射筒２０の筒先２２に接触することなく、注射筒２０から注射針３０を取り外すことができ、筒先２２が汚染されることがないため、注射筒２０に別の注射針を装着して患者に注射を行うことができる。このように、本発明の実施形態に係る注射針取外し容器１００によれば、注射筒２０を再使用できるように注射針３０を注射筒２０から取り外すことが可能である。
【００３５】
また、本発明の実施形態に係る注射針取外し容器１００によれば、注射器１０を取外しプレート１３０に押し込むという動作のみで、簡便に注射針３０を注射筒２０から取り外すことができる。本発明の実施形態に係る注射針取外し容器１００においては、特許文献５に開示された注射針リムーバーとは異なり、大きな力を要することなく、片手で注射器１０を押し込むだけで、簡便かつスムーズに注射針３０を注射筒２０から取り外すことができる。
【００３６】
また、本発明の実施形態に係る注射針取外し容器１００は、容器本体１１０と、蓋１２０と、取外しプレート１３０と、ガイド部材１４０と、を備えるのみであり、複雑ではない簡素な構造となっている。このため、製造が容易であり、また、製造コストを抑えることができる。
【００３７】
また、本発明の実施形態に係る注射針取外し容器１００によれば、注射器１０を取外しプレート１３０に押し込むという動作のみで、針先が露出した状態の注射針３０に手指を近づけること無く注射針３０を注射筒２０から取り外すことができる。このため、注射筒２０から注射針３０を安全に取り外すことができ、医療者の針刺し事故の発生を顕著に低減させることができる。
【００３８】
なお、この発明は上記実施の形態に限定されず、種々の変形及び応用が可能である。例
えば、本実施形態においては、図１に示すように、挿入孔１２２以外の部分が平坦な形状の蓋１２０について説明したが、図３に示すように、蓋１２０上に、ガイド部材１４０に対向して手置き台１５０を設けた注射針取外し容器２００の形態であってもよい。手置き台１５０を設けることで、注射器１０を持つ使用者の手が安定的に支えられるため、注射器１０が水平方向にぶれることなく、注射器１０をより確実に略鉛直方向に押し込むことができる。
【００３９】
また、図４に示すように、注射針取外し容器１００は、注射針流出防止プレート１６０を備えていてもよい。注射針流出防止プレート１６０は、注射針取外し容器１００を反転させて上下逆さにした際に、容器本体１１０内に収容された注射針３０が挿入孔１２２から容器本体１１０の外部に出ることを防ぐ役割を果たす。図４（ａ）に示すように、注射針流出防止プレート１６０は、１組の強化プラスチック製のプレートからなり、一方の注射針流出防止プレート１６０は、蓋１２０の下面の辺縁１２２ａ近傍に、挿入孔１２２の半分を下から覆うように貼設されており、他方の注射針流出防止プレート１６０は、同様に蓋１２０の下面の辺縁１２２ａ近傍に、挿入孔１２２の他方の半分を下から覆うように貼設されている。注射針流出防止プレート１６０の辺縁近傍の箇所と、取外しプレート１３０の係止爪１３２近傍の箇所と、は棒状の部材である連結材１６２で連結されており（図４（ａ））、連結材１６２は、取外しプレート１３０の動きに応じて注射針流出防止プレート１６０を開閉させる役割を果たす。より具体的には、注射筒２０を矢印Ｙ方向（図中、下方）に押し込み（図４（ｂ））、取外しプレート１３０によって注射針３０が注射筒２０から取り外される程度まで注射筒２０を押し込むと、取外しプレート１３０の動きに連動して、注射針流出防止プレート１６０が押し下げられて、１組の注射針流出防止プレート１６０の間に隙間が生じる（注射針流出防止プレート１６０が開いた状態）（図４（ｃ））。注射筒２０を上方に抜き去り、取外しプレート１３０が初期位置に戻ると、注射針流出防止プレート１６０が押し上げられて、１組の注射針流出防止プレート１６０の間の隙間が小さくなる（注射針流出防止プレート１６０が閉じた状態）（図４（ｄ））。このように、注射針流出防止プレート１６０は、注射針３０を取り外す作業の間以外には、閉じた状態となるため（図４（ａ））、注射針取外し容器１００を反転させて上下逆さにした場合でも、閉じた状態の注射針流出防止プレート１６０が障壁となって、容器本体１１０内に収容された注射針３０が挿入孔１２２から容器本体１１０の外部に出るのを回避することができる。注射針流出防止プレート１６０を備えることで、容器本体１１０内に収容された、針先が露出した状態の注射針３０が、容器本体１１０の外部に誤って流出する危険性を減らすことができるため、安全な使用が確保され、特に、医療者の針刺し事故の発生を顕著に低減させることができる。
【００４０】
また、本実施形態においては、バネ１３１によって取外しプレート１３０が上方に付勢される形態について説明したが、取外しプレート１３０を上方に付勢させることのできる付勢手段であれば、適宜採用することができる。他のバネの具体的な構成としては、例えば、板バネ、弦巻バネ、引張バネ等が好適である。また、取外しプレート１３０の角部１３４の下面近傍箇所間に、注射針３０を２つの取外しプレート１３０の間に押し込むためのスペースを確保しつつ強化プラスチック製の架設部材を設け、蓋１２０の下面に、挿入孔１２２の一部を下方から覆うように強化プラスチック製の弾性プレート部材を設け、注射針３０を２つの取外しプレート１３０の間に略鉛直方向に押し込むと、該架設部材の下部が該弾性プレート部材に押接することで、取外しプレート１３０を上方に付勢させるようにしてもよい。
【００４１】
また、本実施形態においては、図１に示すように、半円筒部材１４２を備える形態のガイド部材１４０について説明したが、ガイド部材１４０については、注射器１０の略鉛直方向の移動を案内することのできる形態であれば適宜採用することができる。例えば、ガイド部材１４０は、注射筒２０の外径よりも略大きい内径を有する円筒部材を備える形態でもよく、この場合、注射器１０をこの円筒部材内に挿入して、略鉛直方向に押し下げる。
【００４２】
また、本実施形態においては、図１に示すように、２つの取外しプレート１３０を備える形態について説明したが、蓋１２０の挿入孔１２２の形状等に鑑み、適宜、取外しプレート１３０の数を増加させてもよい。
【００４３】
また、本実施形態においては、図１に示すように、別部品としての取外しプレート１３０が蓋１２０の挿入孔１２２の辺縁１２２ａに取り付けられている形態について説明したが、取外しプレート１３０を上方に付勢させることができれば、取外しプレート１３０の根元部が蓋と一体成形されていてもよい。
【００４４】
また、本実施形態においては、図２に示すように、注射針にカバーを取り付けていない注射針３０を注射筒２０から取り外す形態について説明したが、カバーを取り付けた注射針も同様に注射筒から取り外すことができる。
【００４５】
また、本実施形態においては、図１に示すように、蓋１２０の略中央部分に矩形状の挿入孔１２２が設けられている形態について説明したが、挿入孔１２２が設けられる位置は蓋１２０の略中央部分以外としてもよく、また、挿入孔１２２の形状は、丸形、楕円形、多角形等でもよい。
【００４６】
また、本実施形態においては、図１に示すように、容器本体１１０が直方体の箱である形態について説明したが、容器本体１１０の形状については、取り外された注射針３０を収容できるものであれば適宜採用することができ、例えば、立方体、三角柱、六角柱、円筒等であってもよい。この場合、蓋１２０は、容器本体１１０の形状にあわせた形状にて適宜作製される。
【００４７】
また、本実施形態においては、蓋１２０が容器本体１１０の上面部に着脱可能に取り付けられた形態について説明したが、蓋１２０と容器本体１１０とは一体成形されていてもよい。この場合、容器本体１１０内から取り外し済みの注射針３０を取り出すための取出し口が蓋１２０又は容器本体１１０に設けられる。
【００４８】
また、本実施形態においては、注射針３０を薬液の入ったバイアルに穿刺し、又は薬液の入ったアンプル内に挿入し、薬液を吸い上げて注射筒２０に薬液を充填した後、注射筒２０の筒先２２に患者に注射するための別の注射針を付け替える形態について説明したが、注射筒２０を再使用できるように注射針３０を注射筒２０から取り外すことが可能であるため、例えば、注射針３０の針管３２の外径が異なる別の注射針に付け替える（例えば、２５Ｇの注射針から２１Ｇの注射針に付け替える）目的で注射針取外し容器１００を用いてもよい。
【００４９】
また、本実施形態においては、注射筒２０に螺合固定によって取り付けられた注射針３０を用いる形態について説明したが、注射筒２０に嵌めあい固定された注射針３０を用いてもよい。
【００５０】
また、本実施形態においては、合成樹脂製の容器本体１１０、蓋１２０、取外しプレート１３０及びガイド部材１４０を備える形態について説明したが、各部材は例えば金属製、ステンレス製等であってもよい。
【符号の説明】
【００５１】
１０  注射器
２０  注射筒
２２  筒先
２４  肩部
３０  注射針
３２  針管
３４  針基
３４ａ  つば部
１００  注射針取外し容器
１１０  容器本体
１２０  蓋
１２２  挿入孔
１２２ａ  辺縁
１３０  取外しプレート
１３１  バネ
１３２  係止爪
１３３  回動軸
１３４  角部
１３６  先端部
１４０  ガイド部材
１４２  半円筒部材
１５０  手置き台
１６０  注射針流出防止プレート
１６２  連結材
２００  注射針取外し容器
【図１】
0006041275.tif 000002
【図２】
0006041275.tif 000003
【図３】
0006041275.tif 000004
【図４】
0006041275.tif 000005